(57)【特許請求の範囲】
【請求項１】
２本の脚によって水平状態と垂直状態との間を９０°回動可能に保持される天板と、２本の脚を所定の間隔で平行に接続する横桟部材とから構成される折畳み机であって、
前記脚は、上部機構と前記上部機構の下部に取り外し可能に固定される下部機構から構成され、
前記上部機構は、筒状の上部脚柱と、上部脚柱の上部に設けられ、前記天板が固定されたアームを水平方向と垂直方向との間を９０°回動させる回動機構とを備え、
前記下部機構は、前記上部脚柱と取り外し可能に固定された筒状の下部脚柱と、前記下部脚柱の下端に固定された脚台と、前記下部脚柱の内部を貫通するように設けられた支柱と、前記支柱の下端に設けられた、２個のキャスターを有するキャスター部と、前記下部脚柱の上部に設けられた蓋部の孔から突出した前記支柱の上端に設けられたヘッド部と、前記蓋部と前記ヘッド部の間に設けられ、前記ヘッド部に対して上向きに力を加える弾性部材とを備え、
前記回動機構は、前記アームが固定され、軸を中心に回転する回動部材と、前記回動部材を前記アームが垂直方向となる位置と水平方向となる位置に回動部材をロックするロック機構と、前記ロック機構によるロックを解除するレバーとを備え、
前記ヘッド部は前記弾性部材から受ける弾性力によって前記回動部材に設けられたローラー用軸を中心に回転するローラーに押し付けられているので、前記ヘッド部は前記回動部材の回転によって回動する前記ローラーの動きに連動して上下動し、前記天板を垂直状態に移動させると、前記ヘッド部が下方へと移動し、前記キャスター部のキャスターが前記脚台の底面より下方にあって床と接触した状態となり、前記天板が水平状態にある時に、前記ヘッド部が上方へと移動し、前記キャスター部のキャスターが前記脚台の底面よりも上方にあって、前記脚台の底面が床と接する状態となることを特徴とする折畳み机。
【請求項２】
前記天板と平行に下方に位置し、前記天板の動きと連動して水平状態と垂直状態との間を回動可能な棚が設けられていることを特徴とする請求項１に記載の折畳み机。
【請求項３】
前記ローラーは、前記天板が垂直状態にある時、前記ローラーの中心が前記軸に対して垂直方向よりも、前記軸を中心に、前記天板とは反対側に所定の角度回転した位置に配置されていることを特徴とする請求項１または２に記載の折畳み机。
【請求項４】
２個の上部機構に各々設けられている前記レバーは、連結部材により互いに連結されて連動することを特徴とする請求項１〜３のいずれか１項に記載の折畳み机。
【発明の詳細な説明】
【技術分野】
【０００１】
本発明は、折畳み机に関し、特に不使用時には折畳んでキャスターで簡単に移動することが可能で、かつ、搬送時等には２分割することができる折畳み机に関する。
【背景技術】
【０００２】
会議室等で使用する会議用の机として、不使用時の保管を容易にするために天板を垂直状態に折畳み可能な机や、あるいは脚を折り曲げて天板と平行に折畳む机等が用いられている。
【０００３】
天板を垂直状態に折畳む机（特許文献１参照）は折畳む時に脚を折り曲げる机よりも簡単に折畳むことが可能であり、不使用時には折畳んだ状態でキャスターを用いて移動させて複数の机を並べて収納することができるので、誰でも簡単に収納および使用することができる。
【先行技術文献】
【特許文献】
【０００４】
【特許文献１】特開平１１−５６４８０号公報
【発明の概要】
【発明が解決しようとする課題】
【０００５】
しかしながら、従来の天板を折畳む机は、脚等の部材が溶接等を用いて堅固に固定されており、搬送時には全ての部材を組み立てて製品として完成させておく必要があり、机を折畳んだ状態で搬送しなければならず、搬送するためには十分なスペースが必要で、取り扱いが不自由であった。
【０００６】
また、キャスターが使われている場合、机を使用するときには一般的にキャスターに用いられているストッパーでキャスターをロックしているが、キャスターは円形あるいは球形が用いられているので、接地面積が少なく安定感に欠けるという問題点もあった。
【０００７】
そこで、本発明は、上述の問題点を解決し、搬送時には複数の部品に分割が可能で搬送後には簡単に組み立てることができ、かつ、使用時には安定感がありかつ収納時にはキャスターで簡単に移動させることができる折畳み机を提供することを目的とする。
【課題を解決するための手段】
【０００８】
本願発明の折畳み机は、２本の脚によって水平状態と垂直状態との間を９０°回動可能に保持される天板と、２本の脚を所定の間隔で平行に接続する横桟部材とから構成される折畳み机であって、前記脚は、上部機構と前記上部機構の下部に取り外し可能に固定される下部機構から構成され、前記上部機構は、筒状の上部脚柱と、上部脚柱の上部に設けられ、前記天板が固定されたアームを水平方向と垂直方向との間を９０°回動させる回動機構とを備え、前記下部機構は、前記上部脚柱と取り外し可能に固定された筒状の下部脚柱と、前記下部脚柱の下端に固定された脚台と、前記下部脚柱の内部を貫通するように設けられた支柱と、前記支柱の下端に設けられた、２個のキャスターを有するキャスター部と、前記下部脚柱の上部に設けられた蓋部の孔から突出した前記支柱の上端に設けられたヘッド部と、前記蓋部と前記ヘッド部の間に設けられ、前記ヘッド部に対して上向きに力を加える弾性部材とを備え、前記回動機構は、前記アームが固定され、軸を中心に回転する回動部材と、前記回動部材を前記アームが垂直方向となる位置と水平方向となる位置に回動部材をロックするロック機構と、前記ロック機構によるロックを解除するレバーとを備え、前記ヘッド部は前記弾性部材から受ける弾性力によって前記回動部材に設けられたローラー用軸を中心に回転するローラーに押し付けられているので、前記ヘッド部は前記回動部材の回転によって回動する前記ローラーの動きに連動して上下動し、前記天板を垂直状態に移動させると、前記ヘッド部が下方へと移動し、前記キャスター部のキャスターが前記脚台の底面より下方にあって床と接触した状態となり、前記天板が水平状態にある時に、前記ヘッド部が上方へと移動し、前記キャスター部のキャスターが前記脚台の底面よりも上方にあって、前記脚台の底面が床と接する状態となることを特徴とする。
【０００９】
そして、前記天板と平行に下方に位置し、前記天板の動きと連動して水平状態と垂直状態との間を回動可能な棚を設けることで使い勝手を良くすることができる。
【００１０】
また、前記ローラーは、前記天板が水平状態にある時、前記ローラーの中心が前記軸に対して水平方向よりも所定の角度下側に位置するように配置することで、不使用時のロック状態を強固にすることができる。
【００１１】
２個の上部機構に各々設けられている前記レバーは、連結部材により互いに連結されて連動することで、使い勝手を向上させることができる。
【発明の効果】
【００１２】
本願発明の折畳み机は、本願発明の折畳み机は、２本の脚によって水平状態と垂直状態との間を９０°回動可能に保持される天板と、２本の脚を所定の間隔で平行に接続する横桟部材とから構成される折畳み机であって、前記脚は、上部機構と前記上部機構の下部に取り外し可能に固定される下部機構から構成され、前記上部機構は、筒状の上部脚柱と、上部脚柱の上部に設けられ、前記天板が固定されたアームを水平方向と垂直方向との間を９０°回動させる回動機構とを備え、前記下部機構は、前記上部脚柱と取り外し可能に固定された筒状の下部脚柱と、前記下部脚柱の下端に固定された脚台と、前記下部脚柱の内部を貫通するように設けられた支柱と、前記支柱の下端に設けられた、２個のキャスターを有するキャスター部と、前記下部脚柱の上部に設けられた蓋部の孔から突出した前記支柱の上端に設けられたヘッド部と、前記蓋部と前記ヘッド部の間に設けられ、前記ヘッド部に対して上向きに力を加える弾性部材とを備え、前記回動機構は、前記アームが固定され、軸を中心に回転する回動部材と、前記回動部材を前記アームが垂直方向となる位置と水平方向となる位置に回動部材をロックするロック機構と、前記ロック機構によるロックを解除するレバーとを備え、前記ヘッド部は前記弾性部材から受ける弾性力によって前記回動部材に設けられたローラー用軸を中心に回転するローラーに押し付けられているので、前記ヘッド部は前記回動部材の回転によって回動する前記ローラーの動きに連動して上下動し、前記天板を垂直状態に移動させると、前記ヘッド部が下方へと移動し、前記キャスター部のキャスターが前記脚台の底面より下方にあって床と接触した状態となり、前記天板が水平状態にある時に、前記ヘッド部が上方へと移動し、前記キャスター部のキャスターが前記脚台の底面よりも上方にあって、前記脚台の底面が床と接する状態となることにより、搬送時には分割することでより多くの机を一度に搬送することが可能となり、また、使用時には安定性を向上することが可能となる。
【００１３】
そして、前記天板と平行に下方に位置し、前記天板の動きと連動して水平状態と垂直状態との間を回動可能な棚を設けることで荷物を置くスペースを設けることができ使い勝手が向上する。
【００１４】
また、前記ローラーは、前記天板が水平状態にある時、前記ローラーの中心が前記軸に対して水平方向よりも所定の角度下側に位置するように配置することで、不使用時のロック状態を強固にし、不用意にキャスターが収納されるのを防止することができる。
【００１５】
２個の上部機構に各々設けられている前記レバーは、連結部材により互いに連結されて連動することにより、１個のレバーを操作するだけで両方のロックを解除することができるので、天板の折畳みおよびセットを簡単に行うことができる。
【図面の簡単な説明】
【００１６】
【図１】本発明の折畳み机の側面図である。
【図２】本発明の折畳み机の正面図である。
【図３】内部を透過した状態の上部機構の側面図である。
【図４】内部を透過した状態の下部機構の側面図である。
【図５】アームと回動部材の斜視図である。
【図６】ロック機構の斜視図である。
【図７】連結部材を示す正面図である。
【図８】回動機構が回転中の、折畳み机の内部を透過した状態の側面図である。
【図９】天板が水平状態の時の、折畳み机の内部を透過した状態の側面図である。
【図１０】回動機構が回転中の状態を示す、折畳み机の内部を透過した状態の側面図である。
【図１１】天板が垂直状態の時の、折畳み机の内部を透過した状態の側面図である。
【図１２】天板が水平状態の時の、折畳み机の内部を透過した状態の側面図である。
【図１３】天板が垂直状態の時の、折畳み机の内部を透過した状態の側面図である。
【図１４】分解して梱包状態とした折畳み机の平面図である。
【図１５】天板が垂直状態で回動機構のロックが解除された時の、折畳み机の内部を透過した状態の側面図である。
【図１６】天板が水平状態で回動機構のロックが解除された時の、折畳み机の内部を透過した状態の側面図である。
【発明を実施するための形態】
【００１７】
図を用いて本発明の折畳み机の実施形態について説明を行う。図１に示すのが本発明の折畳み机1の側面図であり、図２示すのが正面図である。
【００１８】
本発明の折畳み机１は、図１、２に示すように、２本の脚２によって水平状態と垂直状態との間を９０°回動可能に保持される天板３と、２本の脚２を所定の間隔で平行に接続する横桟部材４とから構成され、前記天板３が回動することで折畳み可能な構造となっている。
【００１９】
前記脚２は、上部機構５と前記上部機構５の下部に取り外し可能に固定される下部機構６とで構成されている。前記上部機構５は上部で天板３を９０°回動可能に保持しており、前記下部機構６は下部にキャスター７を備えており、前記キャスター７によって折畳み机１は移動可能となっている。
【００２０】
前記上部機構５は、図３に示すように、筒状の上部脚柱８と、前記上部脚柱８の上部に設けられ、前記天板３が固定されたアーム９を水平方向と垂直方向との間を９０°回動させる回動機構１０とを備える。前記回動機構１０は、前記アーム９に取り付けられた軸１１に固定され、前記軸１１を中心に回転する回動部材１２と、前記回動部材１２を前記アーム９が垂直方向となる位置と水平方向となる位置に固定するロック機構１３と、前記ロック機構１３のロック状態を解除するレバー１４とを備える。
【００２１】
前記下部機構６は、図４に示すように、前記上部脚柱８とボルトを用いて取り外し可能に固定される筒状の下部脚柱１５と、前記下部脚柱１５の下端に固定された脚台１６と、前記下部脚柱１５の内部に設けられ、上下動可能な支柱１７と、前記支柱１７の下端に設けられた２個のキャスター７を有するキャスター部１８と、前記下部脚柱１５の上部に設けられた蓋部１９の孔から突出した前記支柱１７の上端に設けられたヘッド部２０と、前記蓋部１９と前記ヘッド部２０の間に設けられ、前記ヘッド部２０に対して上向きに力を加える弾性部材２１とを備える。前記弾性部材２１として、ここでは、前記蓋部１９と前記ヘッド部２０の間で前記支柱１７を取り囲むように配置されたバネを用いている。
【００２２】
前記回動部材１２は、図５に示すように、略円形の板状の部材を２枚平行に並べて所定の間隔で接続し、その中心に設けた貫通孔に前記軸１１を挿入してロックピンを用いて固定する。前記軸１１は上述のように前記アーム９に取り付けられているので、前記軸９を介して前記回動部材１２と前記アーム９は一体的に固定され、同時に回動する構造となっている。また、前記回動部材１２の略円形の板状部材には前記回動部材１２をロックする際に使用する２個の切り欠き２２，２３が設けられている。さらに、前記回動部材１２には２枚の略円形の板状部材に固定されたローラー用軸２８と、前記ローラー用軸２８を中心に回転するローラー２９が設けられている。
【００２３】
前記ロック機構１３は、図６に示すように、前記切り欠き２２，２３に嵌るロック部材２４と、前記ロック部材２４が固定されている固定具２５と、前記固定具２５の貫通孔に挿入されて軸となるレバー１４と、前記ロック部材２４を前記回動部材１２へと押し付ける方向に作用する弾性部材２６から構成される。前記固定具２５は図６に示すように、板状の部材を２枚平行に並べて所定の間隔で接続し、２枚の板状部材で前記ロック部材２４を固定し、前記レバー１４が前記板状部材に設けた貫通孔に挿入されロックピンを用いて固定されている。
【００２４】
前記レバー１４はＬ字状に形成されており、前記貫通孔に挿入される部分と、ロックを解除する際に人が握る部分とが９０°をなしている。また、前記レバー１４は２個の上部機構５に各々設けられており、図７に示すように、２個のレバー１４が貫通孔から突出している部分を、互いに連結部材であるパイプ２７を用いて連結し、パイプ２７をロックピンを用いてレバー１４に固定することで、どちらか一方のレバー１４を作動させると、他方のレバー１４も同時作動する。これによって、１個のレバー１４を操作することで、２個のロック機構１３を解除することができる。
【００２５】
前記ヘッド部２０は前記弾性部材２１から上向きの力が加えられているが、前記回動部材１２に設けられたローラー２９に接触して上方への移動が制限されている。前記ヘッド部２０は前記回動部材１２の回転によって回動する前記ローラー２９の動きに連動して上下動する。図８に示す矢印Ａの方向に前記回動部材１２が回転すると、前記ローラー２９も矢印Ａの方向に回動しながら上方に移動する。これによって、前記ヘッド部２０も前記弾性部材２１から受ける力によって上方に移動する。図９に示すように、前記ロック部材２４が切り欠き２３に嵌り、前記回動部材１２の回転がロック機構１３によって停止されると、前記天板３は水平状態となり、前記ヘッド部２０が上方に移動した状態で固定されることとなる。
【００２６】
次に、図１０に示す矢印Ｂの方向（矢印Ａとは反対方向）に前記回動部材１２が回転すると、前記ローラー２９も矢印Ｂの方向に回動しながら今度は下方に移動する。これによって、前記ヘッド部２０は前記ローラー２９によって下方への力が加えられ、前記弾性部材２１の力に逆らって下方に移動する。図１１に示すように、前記ロック部材２４が切り欠き２２に嵌り、前記回動部材１２の回転がロック機構１３によって停止されると、前記天板３は垂直状態となり、前記ヘッド部２０が下方に移動した状態で固定されることとなる。
【００２７】
上述のようなヘッド部２０の上下動に伴い、前記支柱１７および前記キャスター部１８も共に上下動を行い、前記ヘッド部２０が上方あるいは下方で固定されると、前記支柱１７および前記キャスター部１８も共に固定された状態となる。前記キャスター部１８の上下動する量は、本実施形態では１５ｍｍであり、図１２に示すように、前記キャスター部１８が上方で固定された時、前記キャスター部１８のキャスター７が前記脚台１６の底面よりも１０ｍｍ上方にあって、前記脚台１６の底面が床４０と接する状態となる。この時、上述のように前記天板３は水平状態となっており、折畳み机１が使用状態であるので、前記脚台１６によって折畳み机１はしっかりと支えられ安定した状態となる。
【００２８】
図１３に示すように、前記キャスター部１８が下方で固定された時、前記キャスター部１８のキャスター７が前記脚台１６の底面より５ｍｍ下方にあって床４０と接触した状態となる。この時、前記天板３が垂直状態となっており、折畳み机１を折畳んだ状態であるので、前記キャスター７によって、簡単に折畳み机１を移動することができる。
【００２９】
前記脚台１６は、２個の脚部３１と１個の台部３２から構成され、前記台部３２の底面から前記支柱１７の下端が突出して前記キャスター部３２が固定されており、前記台部３２の下側で前記キャスター部３２が上下動している。
【００３０】
前記天板３の下方で平行に荷物等を置くための棚３３が設けられており、前記棚３３は一端が２個の上部脚柱８に回転可能に固定され、前記アーム９に２個の腕部３４を用いて保持されている。前記腕部３４が前記アーム９および前記棚３３と回転可能に接続されており、前記脚柱８にも回転可能に固定されていることで、前記棚３３は前記天板３と連動して回動する構造となっており、前記天板３が水平状態の時には前記棚３３も水平状態であり、前記天板３が垂直状態となると前記棚３３も垂直状態となって、共に折畳むことができる。また、足元を隠すための膜板３５を前記上部脚柱１５に固定して設けている。
【００３１】
本発明の折畳み机１の使用方法について説明する。搬送時には、図３，４に示すように、上部機構５と上部機構６を分離し、前記天板３を折畳んだ状態としておく。このように分解した状態だと、例えば、図１４に示すように、コンパクトに梱包することができるので、一度に大量の折畳み机１を搬送することが可能となり、輸送費等の削減にも効果がある。
【００３２】
上述のように分解した状態で搬送した折畳み机１を、使用する場所で組み立てる。組立は、上部脚柱８に上部脚柱１５を挿入してボルトを用いて固定して行う。このようにして、２個の下部脚柱１５を上部脚柱８に取り付けることで、上部機構５と下部機構６が固定される。
【００３３】
次に、組立が完了し、折畳み机１が折畳まれた状態について説明する。折畳み机１が折畳まれ時、図１３に示すように、天板３および棚３３は垂直状態となっている。この時、図１１に示すように、ロック機構１３の弾性部材２６による弾性力がロック部材２４に作用し、前記ロック部材２４が、回動機構１０の回動部材１２の切り欠き２２に嵌ることによって、前記回動部材１２の回動が停止され、前記回動機構１０がロックされた状態となる。
【００３４】
この時、前記ローラー２９が下方で固定されているので、前記ヘッド部２０も下方で固定された状態となり、前記キャスター部１８のキャスター７が前記脚台１６の底面より５ｍｍ下方にあって床４０と接触した状態となっている。これにより、前記折畳み机１は自由に移動可能であり、簡単に所定の位置に配置することができる。また、この状態で収納する時に、キャスター７が動くことが好ましくない場合には、キャスター７に設けたストッパーを用いて、折畳み机１を折畳んだ状態で移動できないように固定することも可能である。
【００３５】
所定の位置に折畳み机１を配置したら、折畳み机１を使用状態にする。そのために、まずは、レバー１４を、図１１に示す矢印Ｃの方向へと動かし、前記回動機構１０のロック状態を解除する。前記レバー１４を動かすと、図１５に示すように、前記固定具２５が回転して前記ロック部材２４が前記切り欠き２２から離れるので、前記回動機構１０が回転可能な状態となる。上述のように、レバー１４はパイプ２７によって連結されているので、一方のレバー１４を動かすことで両方の回動機構１０のロックが解除される。
【００３６】
回動機構１０のロックが解除されたら、天板３を垂直状態から水平状態へと移動させる。すると、図８に示すように、アーム９が回動することで前記回動機構１０の回動部材１２が回転し、前記ローラー２９も同じ方向に回動しながら上方に移動する。これによって、前記ヘッド部２０が前記弾性部材２１から受ける力によって上方に移動し、さらに、前記キャスター部１８も上方へと移動する。また、前記棚３３も天板３と連動して水平状態へと移動される。
【００３７】
天板３を垂直状態から水平状態へと移動させ、前記回動部材１２が回転している時、前記ロック部材２４は弾性部材２６によって前記回動部材１２へと押し付けられている。前記回動部材１２が回転し、前記切り欠き２３が前記ロック部材２４の位置に来ると、前記弾性部材２６によって前記固定具２５が回転し、前記ロック部材２４が前記切り欠き２３に嵌め込まれる。これによって、図９に示すように、ロック機構１３によって回動機構１０がロックされ状態となる。この時に天板３と棚３３が水平状態となるように、前記切り欠き２３を設ける位置を決めている。
【００３８】
このよう回動機構１０がロックされた時、図１２に示すように、前記キャスター部１８が上方で固定され、前記キャスター部１８のキャスター７が前記脚台１６の底面よりも１０ｍｍ上方にあって、前記脚台１６の底面が床４０と接する状態となる。このようにして、折畳み机１は使用状態となる。この時、キャスター７は空中に浮いており、従来のようにキャスターが固定されただけの状態ではなく、折畳み机１は脚台１６によってしっかりと保持された状態となり、より安定した使用状態を保つことができる。
【００３９】
折畳み机１を収納する場合、まず折畳み机１を折畳み、その後、移動させる。折畳み机１を折畳むためには、レバー１４を、図９に示す矢印Ｄの方向へと動かし、前記回動機構１０のロック状態を解除する。前記レバー１４を動かすと、図１６に示すように、前記固定具２５が回転して前記ロック部材２４が前記切り欠き２３から離れるので、前記回動機構１０が回転可能な状態となる。上述のように、レバー１４はパイプ２７によって連結されているので、一方のレバー１４を動かすことで両方の回動機構１０のロックが解除される。
【００４０】
回動機構１０のロックが解除されたら、天板３を水平状態から垂直状態へと移動させる。すると、図１０に示すように、アーム９が回動することで前記回動機構１０の回動部材１２が回転し、前記ローラー２９も同じ方向に回動しながら下方に移動する。これによって、前記ヘッド部２０が前記弾性部材２１に逆らって下方に移動し、さらに、前記キャスター部１８も下方へと移動する。また、前記棚３３も天板３と連動して垂直状態へと移動される。
【００４１】
天板３を水平状態から垂直状態へと移動させ、前記回動部材１２が回転している時、前記ロック部材２４は弾性部材２６によって前記回動部材１２へと押し付けられている。前記回動部材１２が回転し、前記切り欠き２２が前記ロック部材２４の位置に来ると、前記弾性部材２６によって前記固定具２５が回転し、前記ロック部材２４が前記切り欠き２２に嵌め込まれる。これによって、図１１に示すように、ロック機構１３によって回動機構１０がロックされ状態となる。この時に天板３と棚３３が垂直状態となるように、前記切り欠き２２を設ける位置を決めており、前記切り欠き２２と前記切り欠き２３は軸１１を中心として９０°の角度をなすように配置している。
【００４２】
この時、前記ローラー２９は、前記軸１１の中心に対して垂直の位置ではなく、所定の角度右側に回転した位置にある。これは、ロック状態となる時に、前記軸１１に対して垂直な位置にローラー２９が来るように配置すると、前記ローラー２９には前記ヘッド部２０によって上方へと力が加えられているので、ロックされる前に回動部材１２が矢印Ａの方向に回転してロックを失敗するのを防止するためであり、このように前記ローラー２９を配置すると、回動部材１２が反対に回転するのを防止することができる。
【００４３】
このよう回動機構１０がロックされた時、図１３に示すように、前記キャスター部１８が下方で固定され、前記キャスター部１８のキャスター７が前記脚台１６の底面よりも５ｍｍ下方にあって、床４０と接触した状態となる。これにより、前記折畳み机１を自由に移動させることができ、簡単に所定の位置に収納することができる。
【００４４】
このように、本発明の折畳み机１は、搬送時にはコンパクトになり、使用状態では安定しており、さらに、天板を折畳むと自動的にキャスターが使用状態となるので、使い勝手に優れており、輸送コストの削減も可能な便利なものである。
【符号の説明】
【００４５】
１      折畳み机
２      脚
３      天板
４      横桟部材
５      上部機構
６      下部機構
７      キャスター
８      上部脚柱
９      アーム
１０    回動機構
１１    軸
１２    回動部材
１３    ロック機構
１４    レバー
１５    下部脚柱
１６    脚台
１７    支柱
１８    キャスター部
１９    蓋部
２０    ヘッド部
２１    弾性部材
２２    切り欠き
２３    切り欠き
２４    ロック部材
２５    固定具
２６    弾性部材
２７    パイプ
２８    ローラー用軸
２９    ローラー
３１    脚部
３２    台部
３３    棚
３４    腕部
３５    膜板
４０    床
【図１】
0005483232.tif 000002
【図２】
0005483232.tif 000003
【図３】
0005483232.tif 000004
【図４】
0005483232.tif 000005
【図５】
0005483232.tif 000006
【図６】
0005483232.tif 000007
【図７】
0005483232.tif 000008
【図８】
0005483232.tif 000009
【図９】
0005483232.tif 000010
【図１０】
0005483232.tif 000011
【図１１】
0005483232.tif 000012
【図１２】
0005483232.tif 000013
【図１３】
0005483232.tif 000014
【図１４】
0005483232.tif 000015
【図１５】
0005483232.tif 000016
【図１６】
0005483232.tif 000017